【手続補正書】
【提出日】平成19年8月1日(2007.8.1)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  ハードディスクを有する画像形成装置であって、
給紙カセットが開かれたか否かを検知する検知手段と、
前記給紙カセットが開かれたことを前記検知手段により検知したことに応じて、前記ハードディスクの駆動を制限するよう制御する制御手段と、
を有することを特徴とする画像形成装置。
【請求項２】  ハードディスクを有する画像形成装置であって、
給紙カセットが開かれたか否かを検知する検知手段と、
前記給紙カセットが開かれたことを前記検知手段により検知したことに応じて、前記ハードディスクの駆動を制限するよう制御する制御手段と、を有し、
前記制御手段は、
前記給紙カセットが閉じられたことを前記検知手段により検知したことに応じて前記制限を解除するよう制御することを特徴とする画像形成装置。
【請求項３】  ハードディスクを有する画像形成装置であって、
原稿フィーダが開かれたか否かを検知する検知手段と、
前記原稿フィーダが開かれたことを前記検知手段により検知したことに応じて、前記ハードディスクの駆動を制限するよう制御する制御手段と、
を有することを特徴とする画像形成装置。
【請求項４】  ハードディスクを有する画像形成装置であって、
原稿フィーダが開かれたか否かを検知する検知手段と、
前記原稿フィーダが開かれたことを前記検知手段により検知したことに応じて、前記ハードディスクの駆動を制限するよう制御する制御手段と、を有し、
前記制御手段は、
前記原稿フィーダが閉じられたことを前記検知手段により検知したことに応じて前記制限を解除するよう制御することを特徴とする画像形成装置。
【請求項５】  ハードディスクを有する画像形成装置であって、
紙詰まりを除去するための扉が開かれたか否かを検知する検知手段と、
前記扉が開かれたことを前記検知手段により検知したことに応じて、前記ハードディスクの駆動を制限するよう制御する制御手段と、
を有することを特徴とする画像形成装置。
【請求項６】  ハードディスクを有する画像形成装置であって、
紙詰まりを除去するための扉が開かれたか否かを検知する検知手段と、
前記扉が開かれたことを前記検知手段により検知したことに応じて前記ハードディスクの駆動を制限するよう制御する制御手段と、を有し、
前記制御手段は、
前記扉が閉じられたことを前記検知手段により検知したことに応じて前記制限を解除するよう制御することを特徴とする画像形成装置。
【請求項７】 ハードディスクを有する画像形成装置であって、
紙詰まりを検知する検知手段と、
前記検知手段により前記紙詰まりを検知したことに応じて、前記ハードディスクの駆動を制限するよう制御する制御手段と、
を有することを特徴とする画像形成装置。
【請求項８】  ハードディスクを有する画像形成装置であって、
紙詰まりを検知する検知手段と、
前記検知手段により前記紙詰まりを検知したことに応じて、前記ハードディスクの駆動を制限するよう制御する制御手段と、を有し、
前記制御手段は、
前記紙詰まりが除去されたことを前記検知手段により検知したことに応じて前記制限を解除するよう制御することを特徴とする画像形成装置。
【請求項９】  ハードディスクを有する画像形成装置であって、
用紙切れを検知する検知手段と、
前記検知手段により前記用紙切れを検知したことに応じて、前記ハードディスクの駆動を制限するよう制御する制御手段と、
を有することを特徴とする画像形成装置。
【請求項１０】  ハードディスクを有する画像形成装置であって、
給紙手段の用紙切れを検知する検知手段と、
前記検知手段により前記用紙切れを検知したことに応じて、前記ハードディスクの駆動を制限するよう制御する制御手段と、を有し、
前記制御手段は、
前記給紙手段に用紙が補給されたことを前記検知手段により検知したことに応じて前記制限を解除するよう制御することを特徴とする画像形成装置。
【請求項１１】
前記ハードディスクの交換時期を通知する通知手段を更に有することを特徴とする請求項１乃至１０の何れかに記載の画像形成装置。
【請求項１２】
前記ハードディスクの交換時期に達したことに応じて前記制御手段は前記ハードディスクの利用を制限するよう制御することを特徴とする請求項１乃至１１の何れかに記載の画像形成装置。
【手続補正３】
【補正対象書類名】明細書
【補正対象項目名】０００１
【補正方法】変更
【補正の内容】
【０００１】
【発明の属する技術分野】
本発明は、非動作時に衝撃に対して強いモードを備えたハードディスクを有する画像形成装置に関するものである。
【手続補正４】
【補正対象書類名】明細書
【補正対象項目名】００１３
【補正方法】変更
【補正の内容】
【００１３】
本発明は、上記の問題点を解決するためになされたもので、本発明の目的は、人為的にハードディスクに対し衝撃を与える可能性がある場合に、衝撃の発生に先だって、ハードディスクの駆動を制限し、衝撃からハードディスクを保護することができる仕組みを提供することである。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
【課題を解決するための手段】
本発明は、ハードディスクを有する画像形成装置であって、給紙カセットが開かれたか否かを検知する検知手段と、前記給紙カセットが開かれたことを前記検知手段により検知したことに応じて、前記ハードディスクの駆動を制限するよう制御する制御手段と、を有することを特徴とする。
【手続補正９】
【補正対象書類名】明細書
【補正対象項目名】００１８
【補正方法】変更
【補正の内容】
【００１８】
また、本発明は、ハードディスクを有する画像形成装置であって、給紙カセットが開かれたか否かを検知する検知手段と、前記給紙カセットが開かれたことを前記検知手段により検知したことに応じて、前記ハードディスクの駆動を制限するよう制御する制御手段と、を有し、前記制御手段は、前記給紙カセットが閉じられたことを前記検知手段により検知したことに応じて前記制限を解除するよう制御することを特徴とする。
【手続補正１０】
【補正対象書類名】明細書
【補正対象項目名】００１９
【補正方法】変更
【補正の内容】
【００１９】
また、本発明は、ハードディスクを有する画像形成装置であって、原稿フィーダが開かれたか否かを検知する検知手段と、前記原稿フィーダが開かれたことを前記検知手段により検知したことに応じて、前記ハードディスクの駆動を制限するよう制御する制御手段と、を有することを特徴とする。
【手続補正１１】
【補正対象書類名】明細書
【補正対象項目名】００２０
【補正方法】変更
【補正の内容】
【００２０】
また、本発明は、ハードディスクを有する画像形成装置であって、原稿フィーダが開かれたか否かを検知する検知手段と、前記原稿フィーダが開かれたことを前記検知手段により検知したことに応じて、前記ハードディスクの駆動を制限するよう制御する制御手段と、を有し、前記制御手段は、前記原稿フィーダが閉じられたことを前記検知手段により検知したことに応じて前記制限を解除するよう制御することを特徴とする。
【手続補正１２】
【補正対象書類名】明細書
【補正対象項目名】００２１
【補正方法】変更
【補正の内容】
【００２１】
また、本発明は、ハードディスクを有する画像形成装置であって、紙詰まりを除去するための扉が開かれたか否かを検知する検知手段と、前記扉が開かれたことを前記検知手段により検知したことに応じて、前記ハードディスクの駆動を制限するよう制御する制御手段と、を有することを特徴とする。
【手続補正１３】
【補正対象書類名】明細書
【補正対象項目名】００２２
【補正方法】変更
【補正の内容】
【００２２】
また、本発明は、ハードディスクを有する画像形成装置であって、紙詰まりを除去するための扉が開かれたか否かを検知する検知手段と、前記扉が開かれたことを前記検知手段により検知したことに応じて前記ハードディスクの駆動を制限するよう制御する制御手段と、を有し、前記制御手段は、前記扉が閉じられたことを前記検知手段により検知したことに応じて前記制限を解除するよう制御することを特徴とする。
【手続補正１４】
【補正対象書類名】明細書
【補正対象項目名】００２３
【補正方法】変更
【補正の内容】
【００２３】
また、本発明は、ハードディスクを有する画像形成装置であって、紙詰まりを検知する検知手段と、前記検知手段により前記紙詰まりを検知したことに応じて、前記ハードディスクの駆動を制限するよう制御する制御手段と、を有することを特徴とする。
【手続補正１５】
【補正対象書類名】明細書
【補正対象項目名】００２４
【補正方法】変更
【補正の内容】
【００２４】
また、本発明は、ハードディスクを有する画像形成装置であって、紙詰まりを検知する検知手段と、前記検知手段により前記紙詰まりを検知したことに応じて、前記ハードディスクの駆動を制限するよう制御する制御手段と、を有し、前記制御手段は、前記紙詰まりが除去されたことを前記検知手段により検知したことに応じて前記制限を解除するよう制御することを特徴とする。
【手続補正１６】
【補正対象書類名】明細書
【補正対象項目名】００２５
【補正方法】変更
【補正の内容】
【００２５】
また、本発明は、ハードディスクを有する画像形成装置であって、用紙切れを検知する検知手段と、前記検知手段により前記用紙切れを検知したことに応じて、前記ハードディスクの駆動を制限するよう制御する制御手段と、を有することを特徴とする。
【手続補正１７】
【補正対象書類名】明細書
【補正対象項目名】００２６
【補正方法】変更
【補正の内容】
【００２６】
また、本発明は、ハードディスクを有する画像形成装置であって、給紙手段の用紙切れを検知する検知手段と、前記検知手段により前記用紙切れを検知したことに応じて、前記ハードディスクの駆動を制限するよう制御する制御手段と、を有し、前記制御手段は、前記給紙手段に用紙が補給されたことを前記検知手段により検知したことに応じて前記制限を解除するよう制御することを特徴とする。
【手続補正１８】
【補正対象書類名】明細書
【補正対象項目名】００２７
【補正方法】削除
【補正の内容】
【手続補正１９】
【補正対象書類名】明細書
【補正対象項目名】００２８
【補正方法】削除
【補正の内容】
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】
【手続補正２２】
【補正対象書類名】明細書
【補正対象項目名】００３１
【補正方法】削除
【補正の内容】
【手続補正２３】
【補正対象書類名】明細書
【補正対象項目名】００３２
【補正方法】削除
【補正の内容】
【手続補正２４】
【補正対象書類名】明細書
【補正対象項目名】００３３
【補正方法】削除
【補正の内容】
【手続補正２５】
【補正対象書類名】明細書
【補正対象項目名】００３４
【補正方法】削除
【補正の内容】
【手続補正２６】
【補正対象書類名】明細書
【補正対象項目名】００３５
【補正方法】削除
【補正の内容】
【手続補正２７】
【補正対象書類名】明細書
【補正対象項目名】００３６
【補正方法】削除
【補正の内容】
【手続補正２８】
【補正対象書類名】明細書
【補正対象項目名】００３７
【補正方法】削除
【補正の内容】
【手続補正２９】
【補正対象書類名】明細書
【補正対象項目名】００３８
【補正方法】削除
【補正の内容】
【手続補正３０】
【補正対象書類名】明細書
【補正対象項目名】００３９
【補正方法】削除
【補正の内容】
【手続補正３１】
【補正対象書類名】明細書
【補正対象項目名】００４０
【補正方法】削除
【補正の内容】
【手続補正３２】
【補正対象書類名】明細書
【補正対象項目名】００４１
【補正方法】削除
【補正の内容】
【手続補正３３】
【補正対象書類名】明細書
【補正対象項目名】００４２
【補正方法】削除
【補正の内容】
【手続補正３４】
【補正対象書類名】明細書
【補正対象項目名】００４３
【補正方法】削除
【補正の内容】
【手続補正３５】
【補正対象書類名】明細書
【補正対象項目名】０１８１
【補正方法】変更
【補正の内容】
【０１８１】
【発明の効果】
以上説明したように、本発明によれば、人為的にハードディスクに対し衝撃を与える可能性がある場合に、衝撃の発生に先だって、ハードディスクの駆動を制限し、衝撃からハードディスクを保護することができる等の効果を奏する。
【手続補正３６】
【補正対象書類名】明細書
【補正対象項目名】０１８２
【補正方法】削除
【補正の内容】
【手続補正３７】
【補正対象書類名】明細書
【補正対象項目名】０１８３
【補正方法】削除
【補正の内容】
【手続補正３８】
【補正対象書類名】明細書
【補正対象項目名】０１８４
【補正方法】削除
【補正の内容】
【手続補正３９】
【補正対象書類名】明細書
【補正対象項目名】０１８５
【補正方法】削除
【補正の内容】